(57)【要約】      （修正有）【課題】簡単な構造で顔の筋肉の運動を行うことが可能な美容器具の提供。【解決手段】美容器具１００は、キャップ２を本体１にねじ込み、穴５と突起３との間で形成する空間（流路面積）を調整する。所望の流路面積とした後、本体１の後端側１ｂを口に咥えた状態で呼吸をする。このとき、突起３及び穴５により流路が規制されるため、呼吸には力が必要になる。即ち、強く生きを吐き出したり、吸ったりする動作を行うことになるため、顔の筋肉が使用されて顔が引き締まり、また肺が強化される。次に、呼吸の負荷を調整するには、キャップ２を回転させて突起３と穴５との間に形成される流路面積を変化させる。また、構造が簡単であるため、分解洗浄が容易である。【選択図】図１
2019201787.tif 000002
【特許請求の範囲】
【請求項１】
内部に空間が形成され且つ一端を口に咥える部分を有する本体と、
内部空間と外部との間の空気流量を調整する流量調整手段と、
を備えたことを特徴とする美容器具。
【請求項２】
更に、前記本体に設けられると共に空気が通る穴を設けたキャップを有し、当該キャップと本体との位置合わせにより、前記空気流量を調整する前記流量調整手段を構成することを特徴とする請求項１に記載の美容器具。
【発明の詳細な説明】
【技術分野】
【０００１】
本発明は、顔の筋肉を鍛えることで美容効果を得る美容器具に関するものである。
【背景技術】
【０００２】
従来から特許文献１に記載されているような美顔器具が知られている。この美顔器具は、把持部の先端に回転可能に設けたローラを有し、このローラ部が棒状であって皮膚に接触する６つの接触面を備えている。各接触面には、粒状の、ゲルマニウム半導体膜からなるｐ型半導体が取り付けられている。
【０００３】
この美顔器具は、把持部を手で握ってローラ部を皮膚に当て、皮膚に沿ってローラ部を転がるように動かすことで６つの接触面によって皮膚を刺激し、贅肉の解消等を行うものである。また、同時に、接触面の粒状の半導体により、血行が促進され、筋肉痛、皺とり、育毛等に効果を発揮するものとなる。
【先行技術文献】
【特許文献】
【０００４】
【特許文献１】特開２００８−１１９１８１号公報
【発明の概要】
【発明が解決しようとする課題】
【０００５】
しかしながら、上記従来の美顔器具では、皮膚の表面を転がすだけであるため顔の筋肉の運動が望めない。このため、顔の脂肪等を代謝するための筋肉が発達しない。このため、美容の効果を顔の表層に止まるという問題点があった。本発明は、係る問題点を解決するためになされたものである。
【課題を解決するための手段】
【０００６】
本発明に係る美容器具は、内部に空間が形成され且つ一端を口に咥える部分を有する本体と、内部空間と外部との間の空気流量を調整する流量調整手段と、を備えたことを特徴とする。
【０００７】
また、上記発明において、更に、前記本体に設けられると共に空気が通る穴を設けたキャップを有し、当該キャップと本体との位置合わせにより、前記空気流量を調整する前記流量調整手段を構成するようにしても良い。
【図面の簡単な説明】
【０００８】
【図１】本発明の実施の形態１にかかる美容器具を示す説明図である。
【図２】図１に示した美容器具の本体を示す説明図である。
【図３】図１に示した美容器具のキャップを示す説明図である。
【図４】本発明に係る美容器具の使用方法を示す説明図である。
【図５】本発明の実施の形態２にかかる美容器具を示す説明図である。
【図６】図５に示した美容器具の本体を示す説明図である。
【図７】図５に示した美容器具のキャップを示す説明図である。
【図８】本発明の実施の形態３にかかる美容器具を示す説明図
【図９】（ａ）は図８に示した美容器具の軸方向断面図、（ｂ）は平面図である。
【発明を実施するための形態】
【０００９】
（実施の形態１）
図１は、本発明の実施の形態１にかかる美容器具を示す説明図であり、（ａ）は側面図、（ｂ）は平面図、（ｃ）は底面図、（ｄ）は軸方向の断面図である。この美容器具１００は、内部に空間が形成された本体１と、当該本体１の先端に被せるように設けるキャップ２と、から構成される。本体１は、全体が筒状であって先端側１ａの径が大きく、後端側１ｂの径が小さい。後端側１ｂの径が小さくなるのは口に咥え易くするためである。
【００１０】
図２は、本体を示す説明図である、（ａ）は軸方向断面図、（ｂ）は平面図、（ｃ）は底面図である。先端は蓋面１ｃにより塞がれているが蓋面１ｃの中央には三角錐の突起３が設けられる。また、蓋面１ｃには内部空間と連通させる複数の穴４が設けられる。本体１の先端側１ａの周囲には、ネジ部１ｄが設けられる。図３は、キャップを示す説明図である、（ａ）は軸方向断面図、（ｂ）底面図である。キャップ２は、内側面にネジ部２ｃが設けられ、前記本体１のネジ部１ｄと螺合する。
【００１１】
また、キャップ２の蓋部２ａの中央には、前記本体１の突起３に対応する穴５が設けられる。前記突起３の根元の径は前記穴５の径より大きい。この穴５に突起３が挿通され、穴５を突起３との間の空間が空気の流路となる。また、この突起３と穴５が空気の流量調整手段となる。突起３が穴５から完全に抜けると空気の流量が最大となり、突起３で穴５を塞ぐと空気の流量がなくなる。換言すれば、キャップ２と本体１との位置合わせにより、前記空気流量を調整する。
【００１２】
本体１及びキャップ２は樹脂製であり、表面は抗菌加工を施すのが好ましい。なお、図１乃至３では図示しないが、本体１に、ユーザの口に固定する耳掛け紐を設けても良い。また、首に掛けるタイプの紐にしても良い。なお、この美容器具１００は、例えば、長さが５ｃｍ〜７ｃｍ、直径が２ｃｍ〜４ｃｍである。
【００１３】
図４は、本発明に係る美容器具１００の使用方法を示す説明図である。この美容器具１００は、前記キャップ２を前記本体１にねじ込み、穴５と突起３との間で形成する空間（流路面積）を調整する。外部との空気の流路は、前記空間、穴４及び本体１の内部空間により形成される。所望の流路面積とした後、本体１の後端側１ｂを口に咥える。耳掛け紐６が設けられている場合、これを耳に引っ掛けて美容器具１００が落下しないようにする。
【００１４】
そして、美容器具１００を口に咥えた状態で呼吸をする。このとき、前記突起３及び穴５により流路が規制されるため、呼吸には力が必要になる。即ち、強く生きを吐き出したり、吸ったりする動作を行うことになるため、顔の筋肉が使用されて顔が引き締まり、また肺が強化される。次に、呼吸の負荷を調整するには、前記キャップ２を回転させて前記突起３と穴５との間に形成される流路面積を変化させる。流路面積を小さくすれば呼吸の負荷が高くなり、流路面積を大きくすれば呼吸の負荷が小さくなる。なお、穴４は、呼吸に負荷がかからない大きさとしておく。
【００１５】
次に、この美顔器具を洗浄する場合、前記キャップ２を本体１から完全に取り外して分解する。洗浄後は、キャップ２を本体１に取り付け、上記同様、キャップ２のねじ込みにより流路面積を調整して使用する。
【００１６】
以上、本発明の美容器具１００によれば、顔の筋肉を鍛えることができて、脂肪が落ち、高い美容効果が得られる。また、構造が簡単であるため、分解洗浄が容易である。
【００１７】
（実施の形態２）
図５は、本発明の実施の形態２にかかる美容器具を示す説明図であり、（ａ）は側面図、（ｂ）は平面図、（ｃ）は底面図、（ｄ）は軸方向の断面図である。この美容器具２００は、内部に空間が形成された本体２０１と、当該本体２０１の先端に被せるように設けるキャップ２０２と、から構成される。本体２０１は、全体が筒状であって先端側２０１ａの径が大きく、後端側２０１ｂの径が小さい。後端側２０１ｂの径が小さくなるのは口に咥え易くするためである。
【００１８】
図６は、本体を示す説明図である、（ａ）は軸方向断面図、（ｂ）は平面図である。先端側２０１ａは蓋面２０１ｃにより塞がれており、蓋面２０１ｃには内部空間と連通させる穴２０４が設けられる。この穴２０４は、蓋面２０１ｃの中心を中心点とした円弧状になっている。また、本体２０１の軸方向の中央位置には、鍔２０１ｄが形成されている。更に、本体２０１のキャップ２０２を被せる外周面には、シール２０３が設けられている。図７は、キャップを示す説明図である、（ａ）は軸方向断面図、（ｂ）底面図である。キャップ２０２は、軸方向断面がコの字形状であり、内側の径は、前記本体２０１の先端側２０１ａから中央付近までの外径と略同じであり、本体２０１先端側２０１ａを挿入できるようになっている。
【００１９】
また、キャップ２０２の蓋部の所定の位置には、円弧状の穴２０５が設けられる。この穴２０は、前記本体２０１の穴４と組立状態で重なるように設定される。穴２０５の円弧中心は、蓋部の中央に位置する。キャップ２０２の内側に本体２０１の先端を挿入した状態で、前記シール２０３により本体２０１の先端とキャップ２０２の内側が外部からシールされ、空気の通路は、前記穴２０４，２０５のみとなる。
【００２０】
本体２０１の穴２０４とキャップ２０２の穴２０５とが空気の流量調整手段となり、すべて一致する場合、空気の流量が最大となり、本体２０１の穴２０４とキャップ２０２の穴２０５とが完全にずれると、空気の流量がなくなる。換言すれば、キャップ２０２と本体２０１との位置合わせにより、前記空気流量を調整する。
【００２１】
本体２０１及びキャップ２０２は樹脂製であり、表面は抗菌加工を施すのが好ましい。なお、図示しないが、本体２０１に、ユーザの口に固定する耳掛け紐を設けても良い。また、首に掛けるタイプの紐にしても良い。なお、この美容器具２００は、例えば、長さが５ｃｍ〜７ｃｍ、直径が２ｃｍ〜４ｃｍである。
【００２２】
次に、この美顔器具２００の使用方法を説明する。この美容器具２００は、前記キャップ２０２を前記本体２０１に取り付け、キャップ２０２を回転させることで、前記本体２０１の穴２０４とキャップ２０２の穴２０５との重なり具合により流路面積を調整する。そして、所望の流路面積とした後、本体２０１の後端側２０１ｂを口に咥える。耳掛け紐が設けられている場合、これを耳に引っ掛けて美容器具２００が落下しないようにする。
【００２３】
そして、美容器具２００を口に咥えた状態で呼吸をする。このとき、前記穴２０４，２０５により流量が規制されるため、呼吸には力が必要になる。即ち、強く生きを吐き出したり、吸ったりする動作を行うことになるため、顔の筋肉が使用されて顔が引き締まり、また肺が強化される。次に、呼吸の負荷を調整するには、前記キャップ２０２を回転させて前記穴２０４と穴２０５との重なり具合を変化させる。この重なり具合で決まる流路面積を小さくすれば呼吸の負荷が高くなり、流路面積を大きくすれば呼吸の負荷が小さくなる。
【００２４】
次に、この美容器具２００を洗浄する場合、前記キャップ２０２を本体２０１から完全に取り外して分解する。洗浄後は、キャップ２０２を本体２０１に取り付け、上記同様、キャップ２０２の回転により流路面積を調整して使用する。
【００２５】
以上、本発明の美容器具２００によれば、顔の筋肉を鍛えることができて、脂肪が落ち、高い美容効果が得られる。また、構造が簡単であるため、分解洗浄が容易である。
【００２６】
（実施の形態３）
図８は、本発明の実施の形態３にかかる美容器具を示す説明図であり、（ａ）は側面図、（ｂ）は平面図である。図９（ａ）は軸方向断面図、（ｂ）は平面図である。この美容器具３００は、内部に空間が形成された本体３０１と、当該本体３０１の先端に取り付けるプラグ３０２と、から構成される。本体３０１は、全体が筒状であって先端側３０１ａの径が大きく、後端側３０１ｂの径が小さい。後端側３０１ｂの径が小さくなるのは口に咥え易くするためである。
【００２７】
先端側３０１ａは蓋面３０１ｃにより塞がれており、蓋面３０１ｃには内部空間と連通させる３つの穴３０４が設けられる。各穴３０４には、プラグ３０２が差し込まれている。プラグ３０２は、それぞれが抜き差し可能である。この穴３０４及びプラグ３０２により流量調整手段が構成され、前記プラグ３０２を抜くと穴３０４により本体内部と外部とが連通して空気の流路が形成される。プラグ３０２を抜く数により、空気の流路面積が変化する。
【００２８】
本発明の美容器具３００によれば、顔の筋肉を鍛えることができて、脂肪が落ち、高い美容効果が得られる。また、構造が簡単であるため、分解洗浄が容易である。
【符号の説明】
【００２９】
１００  美容器具
１  本体
２  キャップ
３  突起
４，５  穴
【図１】
2019201787.tif 000003
【図２】
2019201787.tif 000004
【図３】
2019201787.tif 000005
【図４】
2019201787.tif 000006
【図５】
2019201787.tif 000007
【図６】
2019201787.tif 000008
【図７】
2019201787.tif 000009
【図８】
2019201787.tif 000010
【図９】
2019201787.tif 000011